(57)【要約】【課題】汎用性の高い柵取付部材及び壁構造体を提供する。【解決手段】柵取付部材３は、コンクリート擁壁２の上端面２４に沿って取り付けられるコンクリートブロックから成り、コンクリート擁壁２の厚さに応じた厚さ寸法を有する平端部３１と、平端部３１よりも大きい厚さ寸法を有する拡幅部３２と、を有し、拡幅部３２に、柵５を取り付けるための柵固定部３３が形成されている。【選択図】図１
2018165451.tif 000002
【特許請求の範囲】
【請求項１】
壁に柵を取り付けるための柵取付部材であって、
前記壁の上端面に沿って取り付けられるコンクリートブロックから成り、
前記壁の厚さに応じた厚さ寸法を有する平端部と、前記平端部よりも大きい厚さ寸法を有する拡幅部と、を有し、
前記拡幅部に、前記柵を取り付けるための柵固定部が形成されていることを特徴とする柵取付部材。
【請求項２】
前記拡幅部が、一方向側に突出して形成され、
前記柵固定部が、前記拡幅部の厚さ方向中央部に形成されていることを特徴とする請求項１に記載の柵取付部材。
【請求項３】
前記柵固定部が、上下方向に延びる孔であることを特徴とする請求項１又は２に記載の柵取付部材。
【請求項４】
壁と、
柵と、
請求項１から３のいずれか一項に記載の柵取付部材と、を備え、
前記壁と前記柵取付部材とが締結部材により固定可能に形成されていることを特徴とする壁構造体。
【請求項５】
前記壁の前記上端面には、ボルトを螺合する螺合部が形成され、
前記柵取付部材には、前記ボルトを挿通するための挿通孔が形成されており、
前記柵取付部材が、前記ボルトにより前記壁に取り付け可能に形成されていることを特徴とする請求項４に記載の壁構造体。
【請求項６】
前記壁の厚さに応じた厚さ寸法を有するとともに、前記壁の前記上端面に前記柵取付部材との間に設けられる調整部材を有することを特徴とする請求項４又は５に記載の壁構造体。
【発明の詳細な説明】
【技術分野】
【０００１】
本発明は、柵取付部材及び壁構造体に関する。
【背景技術】
【０００２】
地面に高低差を設ける場合や、急斜面の土砂崩れを防止するために、擁壁が用いられている。擁壁は、壁状の構造物であり、特にコンクリート製の擁壁の種類は多く、様々な場所で使用されている。コンクリート製の擁壁で代表的なものとしては、例えばＬ型擁壁が知られている。
【０００３】
コンクリート製の擁壁によって形成される壁の高さは、その壁の高さが５ｍほどになるものもあり、人や車などの転落を防止する目的で、擁壁に柵を設けることがある。特許文献１には、擁壁の立面部（壁）の上部を厚肉に形成し、当該厚肉部分に柵の支柱を取り付けるための穴が形成された擁壁構造が記載されている。
【先行技術文献】
【特許文献】
【０００４】
【特許文献１】特開２０００−０６４３１０号公報
【発明の概要】
【発明が解決しようとする課題】
【０００５】
しかしながら、引用文献１に記載の擁壁構造は、擁壁ではなく単なる壁として用いる場合においては、厚肉部分が壁から突出して邪魔となる場合があり、壁として使いにくいという問題があった。
【０００６】
そこで、本発明は、汎用性の高い柵取付部材及び壁構造体を提供することを課題とする。
【課題を解決するための手段】
【０００７】
本発明の一の態様である柵取付部材は、壁に柵を取り付けるための柵取付部材であって、前記壁の上端面に沿って取り付けられるコンクリートブロックから成り、前記壁の厚さに応じた厚さ寸法を有する平端部と、前記平端部よりも大きい厚さ寸法を有する拡幅部と、を有し、前記拡幅部に、前記柵を取り付けるための柵固定部が形成されていることを特徴とする。
【０００８】
上記の態様においては、前記拡幅部が、一方向側に突出して形成され、前記柵固定部が、前記拡幅部の厚さ方向中央部に形成されていることが好ましい。
【０００９】
また、上記の態様においては、前記柵固定部が、上下方向に延びる孔であることが好ましい。
【００１０】
本発明の一の態様である壁構造体は、壁と、柵と、上記の柵取付部材と、を備え、前記壁と前記柵取付部材とが締結部材により固定可能に形成されていることを特徴とする。
【００１１】
また、上記の態様においては、前記壁の前記上端面には、ボルトを螺合する螺合部が形成され、前記柵取付部材には、前記ボルトを挿通するための挿通孔が形成されており、前記柵取付部材が、前記ボルトにより前記壁に取り付け可能に形成されていることが好ましい。
【００１２】
また、上記の態様においては、前記壁の厚さに応じた厚さ寸法を有するとともに、前記壁の上端面に前記柵取付部材との間に設けられる調整部材を有することが好ましい。
【発明の効果】
【００１３】
本発明の一態様である柵取付部材は、壁の上端面に沿って取り付けられるコンクリートブロックから成り、壁の厚さに応じた厚さ寸法を有する平端部と、平端部よりも大きい厚さ寸法を有する拡幅部と、を有し、拡幅部に、柵を取り付けるための柵固定部が形成されている。このような構成により、柵取付部材を壁の上端面に取り付けることで、柵取付部材を介して壁に柵を取り付けることができるため、柵を取り付ける壁を選ばず、汎用性が高い。
【００１４】
上記の態様において、拡幅部が、一方向側に突出して形成され、柵固定部が、前記拡幅部の厚さ方向中央部に形成されている構成とすれば、柵固定部の周囲を均一な厚みとすることができ、強度を高めることができる。
【００１５】
また、上記の態様において、前記柵固定部が、上下方向に延びる孔である構成とすれば、支柱を孔に挿通させることで柵を固定することができる。
【００１６】
本発明の一態様である壁構造体は、壁と、柵と、上記の柵取付部材と、を備え、壁と柵取付部材とが締結部材により固定可能に形成されているため、柵を取り付けない場合であっても、壁のみで使用することも可能であるため、汎用性が高い。また、締結部材により柵取付部材及び柵を壁に強固に固定することができる。
【００１７】
上記の態様において、壁の上端面には、ボルトを螺合する螺合部が形成され、柵取付部材には、ボルトを挿通するための挿通孔が形成されており、柵取付部材が、ボルトにより壁に取り付け可能に形成されている構成とすれば、柵取付部材及び柵を壁により強固に固定することができる。
【００１８】
また、上記の態様において、壁の厚さに応じた厚さ寸法を有するとともに、壁の上端面に柵取付部材との間に設けられる調整部材を有する構成とすれば、柵の支柱が配されない個所に、柵取付部材に代えて、調整部材を配することができるため、コストを削減することができる。
【図面の簡単な説明】
【００１９】
【図１】本発明の一実施形態に係る柵取付部材を備える壁構造体の概略構成を示した図である。
【図２】柵取付部材を示す斜視図である。
【図３】図１の壁構造体が備える調整部材を示す斜視図である。
【図４】壁構造体の分解図である。
【発明を実施するための形態】
【００２０】
以下、本発明の一実施形態に係る柵取付部材及び壁構造体について、図１から図４を用いて説明する。
【００２１】
図１は、本実施形態の柵取付部材３を備える壁構造体１の概略構成を示した図であり、図２は、柵取付部材３を示す斜視図であり、図３は、壁構造体１が備える調整部材４を示す斜視図であり、図４は、壁構造体１の分解図である。
【００２２】
本実施形態の壁構造体１は、壁としてのコンクリート擁壁２と、締結部材としてのボルト６によりコンクリート擁壁２に固定される柵取付部材３と、調整部材４と、コンクリート擁壁に取り付けられる柵５と、を備えている。図１においては、２つのコンクリート擁壁２が並べられ、１つのコンクリート擁壁２に対し、１つの柵取付部材３及び１つの調整部材４が、取り付けられている。
【００２３】
コンクリート擁壁２は、プレキャストコンクリート製のＬ型擁壁であり、垂直方向に延び、厚さ寸法Ｗ１を有する略長方形状の側壁２１と、側壁２１に対して略垂直に設けられた略長方形状の底板２２と、を備えている。コンクリート擁壁２の図１の紙面方向略手前側（底板２２が配された側）には側壁２１の上端部近傍まで土壌（図示せず）が配されて地面が形成されており、コンクリート擁壁２の紙面方向略手前側と紙面方向略奥側とでは、側壁２１の高さに応じた地面の高低差が形成されている。
【００２４】
側壁２１は、長辺が上下方向に配され、底板２２と接合する下端部を除き、厚さ寸法Ｗ１に均一に形成されている。側壁２１には、土壌中の水分を排出するための複数の水抜き穴２３が形成されている。側壁２１の上端面２４には、ボルト６を螺合するための螺合部２５が複数形成されている（図４）。螺合部２５は、上端面２４の長手方向に等間隔に形成されている。
【００２５】
柵取付部材３は、側壁２１に柵５を取り付けるために用いられる部材である。柵取付部材３は、略直方体に形成されたコンクリートブロックから成り（図２）、側壁２１の上端面２４に沿って取り付けられる（図４）。柵取付部材３は、側壁２１の厚さに応じた厚さ寸法Ｗ２を有する平端部３１と、平端部３１よりも大きい厚さ寸法Ｗ３を有する拡幅部３２と、を有している。本実施形態においては、厚さ寸法Ｗ１と厚さ寸法Ｗ２は等しく形成されている。柵取付部材３において、平端部３１と拡幅部３２とは、上端面２４の長手方向に沿って、平端部３１、拡幅部３２、平端部３１の順に並んで配されている。
【００２６】
拡幅部３２は、厚さ方向の一方向側に突出して形成されており、図１においては、底板２２が設けられた側に突出している。拡幅部３２は、厚さ寸法Ｗ３から厚さ寸法Ｗ２（厚さ寸法Ｗ１）を減じた分だけ、側壁２１から突出している。
【００２７】
拡幅部３２には、柵５を取り付けるための柵固定部３３が形成されている。柵固定部３３は、柵５の支柱５１を挿通可能に形成されており、支柱５１を柵固定部３３に挿通することで、柵５をコンクリート擁壁２に取り付けることができる。柵固定部３３は、柵取付部材３の上面３４（平端部３１及び拡幅部３２の上面）と、コンクリート擁壁２の上端面２４に対向する面である下面（図示せず）とを貫通して設けられた貫通孔により形成されている。柵取付部材３がコンクリート擁壁２に取り付けられると、柵固定部３３の下側の開口は、紙面方向略手前側に形成された地面と同じ高さとなり、当該下側の開口は地面により塞がれる。
【００２８】
また、柵固定部３３は、拡幅部３２の厚さ方向中央部に形成され、柵取付部材３がコンクリート擁壁２に取り付けられると、柵固定部３３は、側壁２１の略上方に配される。
【００２９】
また、柵取付部材３には、ボルト６を挿通するための挿通孔３５が複数形成されており、挿通孔３５は柵取付部材３の長手方向に等間隔に形成されている。挿通孔３５は、上面３４と、コンクリート擁壁２の上端面２４に対向する面である下面（図示せず）とを貫通して設けられた貫通孔により形成され、上面３４側の開口の近傍は、ボルト６の頭部を収容するために拡径されている。挿通孔３５は、柵取付部材３が側壁２１の上端面２４に配された際に、螺合部２５が形成された位置に対応する位置に設けられている。
【００３０】
調整部材４は、複数の柵取付部材３の間に配され、柵取付部材３が配される間隔を調整する部材であり、側壁２１の上端面２４において、柵５の支柱５１が配されない箇所に、柵取付部材３の代わりに配される（図１及び図４）。調整部材４は、略直方体に形成されたコンクリートブロックから成り（図３）、側壁２１の上端面２４に沿って取り付けられる（図４）。柵取付部材３は、側壁２１の厚さに応じた厚さ寸法Ｗ４を有するように形成されている。本実施形態においては、厚さ寸法Ｗ１、厚さ寸法Ｗ２及び厚さ寸法４は等しく形成されている。
【００３１】
調整部材４には、ボルト６を挿通するための挿通孔４２が複数形成されており、挿通孔４２は調整部材４の長手方向に等間隔に形成されている。挿通孔４２は、上面４１と、コンクリート擁壁２の上端面２４に対向する面である下面（図示せず）とを貫通して設けられた貫通孔により形成され、上面４１側の開口の近傍は、ボルト６の頭部を収容するために拡径されている。挿通孔４２は、調整部材４が側壁２１の上端面２４に配された際に、螺合部２５が形成された位置に対応する位置に設けられている。
【００３２】
次に、本実施形態の柵取付部材３を用いた柵５の取り付け方法及び壁構造体１の組み立て方法について、図４を用いて説明する。まず、予め工場などで成形されたコンクリート擁壁２を、柵５を設けたい場所に設置する。そして、コンクリート擁壁２の図４の紙面方向略手前側（底板２２が配された側）には側壁２１の上端部近傍まで土壌（図示せず）が配されて地面が形成される。
【００３３】
次に、柵取付部材３を、拡幅部３２の突出が紙面方向略手前側（底板２２が配された側）に配されるように、上端面２４の長手方向一方側に寄せて配する。予め、柵取付部材３を上端面２４に取付た際に、挿通孔３５と螺合部２５との形成された位置が対応するよう形成されているため、柵取付部材３を上端面２４に配した際、挿通孔３５と螺合部２５とは連通した状態となっている。次に、ワッシャー６１を備えたボルト６を挿通孔３５に挿通して、螺合部２５に螺合する。これにより、柵取付部材３のコンクリート擁壁２への取り付けが完了する。
【００３４】
次に、調整部材４を、上端面２４の柵取付部材３の隣に配する。予め、調整部材４を上端面２４に取り付けた際に、挿通孔４２と螺合部２５との形成された位置が対応するよう形成されているため、調整部材４を上端面２４に配した際、挿通孔４２と螺合部２５とは連通した状態となっている。次に、ワッシャー６１を備えたボルト６を挿通孔４２に挿通して、螺合部２５に螺合する。これにより、調整部材４のコンクリート擁壁２への取り付けが完了する。
【００３５】
次に、柵５の支柱５１を柵固定部３３に挿通し、柵５を仮固定する。次に、支柱５１と柵固定部３３との間にモルタルを充填する。また、併せて、ボルト６の頭部が収容された、挿通孔３５及び挿通孔４２において拡径された部分にもモルタルを充填する。モルタルが硬化すると、柵５がコンクリート擁壁２に固定される。
【００３６】
上述したように、本実施形態の柵取付部材３は、側壁２１の上端面２４に沿って取り付けられるコンクリートブロックから成り、側壁２１の厚さに応じた厚さ寸法Ｗ２を有する平端部３１と、平端部３１よりも大きい厚さ寸法Ｗ３を有する拡幅部３２と、を有し、拡幅部３２に、柵５を取り付けるための柵固定部３３が形成されている。このような構成により、柵取付部材３を、側壁２１の上端面２４に取り付けることで、柵取付部材３を介してコンクリート擁壁２に柵５を取り付けることができるため、柵５を取り付ける壁（コンクリート擁壁２）を選ばず、汎用性が高い。
【００３７】
また、本実施形態の柵取付部材３は、柵５の形状（支柱５１の配される間隔）に対して、上端面２４上の配置を変えることで対応することができるため、柵５の取り付け現場において、柵５の形状（支柱５１の配される間隔）に応じてコンクリート擁壁２を加工する必要がなく、柵５の取り付けが容易である。さらに、本実施形態の柵取付部材３は、柵固定部３３が形成される部分のみの厚さ寸法を大きく形成することで、使用するコンクリートを削減することができるため、コストを削減することができる。
【００３８】
また、本実施形態の柵取付部材３は、拡幅部３２が、一方向側（底板２２が設けられた側）に突出して形成され、柵固定部３３が、拡幅部３２の厚さ方向中央部に形成されている。このような構成により、柵固定部３３の周囲の厚みを均一とすることができ、柵固定部３３の強度を高めることができる。
【００３９】
また、上記実施形態の柵取付部材３は、柵固定部３３が上下方向に延びる孔により構成されているため、支柱５１を柵固定部３３に挿通させることで柵５を取り付けることができる。つまり、モルタルを充填しない場合であっても柵５をコンクリート擁壁２に取り付けることが可能である。
【００４０】
また、上記実施形態の柵取付部材３は、ボルト６によりコンクリート擁壁２に取り付けられているため、取り付けが容易であるとともに、柵取付部材３及び柵５をコンクリート擁壁２に強固に固定することができる。
【００４１】
また、本実施形態の壁構造体１のコンクリート擁壁２は、厚さ寸法Ｗ１に均一に形成されている。そのため、コンクリート擁壁２のみを擁壁として用いず、単なる壁として用いた場合であっても、壁に形成された厚肉部分などが邪魔になることがなく、使いやすい。従って、汎用性が高い。
【００４２】
また、本実施形態の壁構造体１は、柵取付部材３との間に設けられる調整部材４を有し、調整部材４は、側壁２１の厚さに応じた厚さ寸法Ｗ４に形成されている。このような構成により、柵５の支柱５１が配されない個所に、柵取付部材３に代えて、調整部材４を配することができるため、拡幅部３２を有する柵取付部材３のみを配する場合に比してコストを削減することができる。具体的には、拡幅部３２に相当する部分のコンクリートを削減することにより、コストを削減することができる。
【００４３】
また、一般的に擁壁に柵を設ける場合には、擁壁の内側に支柱を立てる為の独立基礎を設置する必要がある。そのため、独立基礎が配される分、柵は擁壁より内側に配されることとなり、擁壁と柵との間に無駄なスペースが形成される。一方、本実施形態の壁構造体１であれば、柵取付部材３がコンクリート擁壁２に取り付けられると、柵固定部３３は、側壁２１の略上方に配されるため、柵５は側壁２１の略上方に配される。そのため、側壁２１と柵５との間の無駄なスペースを減らすことができ、コンクリート擁壁２（側壁２１）により囲われた区画の面積と、柵５により囲われた区画の面積との差を小さくすることができる。
【００４４】
以上、説明した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の柵取付部材及び壁構造体の構成を具備する限り、勿論、本発明の範疇に含まれるものである。
【００４５】
例えば、上記実施形態において壁構造体１は、壁としてコンクリート擁壁２を用いて説明したが、本発明の柵取付部材は汎用性が高く、壁であれば特に限定されることはない。また、上記実施形態において柵固定部材３は、コンクリート擁壁２に取り付けられる構成としたが、これに限定されることはなく、他の壁に用いることもできる。例えば、プレキャストコンクリート製でなくてもよく、Ｌ型擁壁でなくてもよい。
【００４６】
また、上記実施形態において壁構造体１は、調整部材４を有する構成としたが、これに限定されることはなく、調整部材４を有する構成でなくてもよい。さらに、上記実施形態においては、１つのコンクリート擁壁２に対して、１つの柵取付部材３及び１つの調整部材４を有する構成としたが、これに限定されることはない。例えば、１つのコンクリート擁壁２に対して、２つの柵取付部材３及び１つの調整部材４を有する構成としてもよく、柵５の支柱５１の配される間隔により、適宜調整することができる。
【００４７】
また、上記実施形態において柵取付部材３は、拡幅部３２が一方向側に突出するように形成される構成としたが、これに限定されることはない。例えば、両方向に突出するように形成してもよい。さらに、上記実施形態において壁構造体１は、拡幅部３２が壁構造体１の底板２２が設けられた側に突出するように柵取付部材３を配する構成としたが、これに限定されることはなく、底板２２が設けられた側とは反対側に突出するように柵取付部材３を配してもよい。
【００４８】
また、上記実施形態においては、柵固定部３３が、上下方向に延びる孔により構成される構成としたが、これに限定されることはなく、例えば、上面３４側に開口した穴により構成してもよい。さらに、上記実施形態においては、柵固定部３３が、拡幅部３２の厚さ方向中央部に形成される構成としたが、これに限定されることはなく、拡幅部３２の先端近傍に設ける構成としてもよい。
【符号の説明】
【００４９】
１                壁構造体
２                コンクリート擁壁（壁）
２４              上端面
２５              螺合部
３                柵固定部材
３１              平坦面
３２              拡幅部
３３              柵固定部
３５              挿通孔
４                調整部材
５                柵
６                ボルト（締結部材）
【図１】
2018165451.tif 000003
【図２】
2018165451.tif 000004
【図３】
2018165451.tif 000005
【図４】
2018165451.tif 000006